(57)【特許請求の範囲】
【請求項１】
一端部の開口部から他端部の開口部に向けて毛髪束を挿通可能にシートにより構成された筒状体と、該筒状体の巻き上げ用の巻き上げ用糸とを備え、
前記巻き上げ用糸は、その一端が前記筒状体の前記他端部近傍に止着され、その他端側を引っ張ることにより該筒状体が巻き上がるようになされており、
前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっており、
前記巻き上げ用糸に、それに沿って可動なタグと、該タグと前記筒状体との間の該巻き上げ用糸を外挿し且つ該巻き上げ用糸の他端近傍に固定された糸調整具とが設けられており、
前記糸調整具は、前記巻き上げ用糸と該糸調整具との間の摩擦抵抗により、前記タグと前記筒状体との間の該巻き上げ用糸の所定位置に固定されるようになっている毛髪保持具。
【請求項２】
一端部の開口部から他端部の開口部に向けて毛髪束を挿通可能にシートにより構成された筒状体と、該筒状体の巻き上げ用の巻き上げ用糸とを備え、
前記巻き上げ用糸は、その一端が前記筒状体の前記他端部近傍に止着され、その他端側を引っ張ることにより該筒状体が巻き上がるようになされており、
前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっており、
前記糸処理機構は、前記筒状体に着脱自在な着脱部材が、前記巻き上げ用糸の他端近傍に設けられていることにより形成されており、
前記巻き上げ用糸は、複数本の繊維を撚り合わせて構成された撚り糸からなり、
前記着脱部材と前記筒状体との間の前記巻き上げ用糸に、該巻き上げ用糸を外挿する摩擦部材を備えており、
前記巻き上げ用糸は、前記摩擦部材から引き出されると、該巻き上げ用糸と該摩擦部材との間の摩擦抵抗により撚られるようになっている毛髪保持具。
【請求項３】
一端部の開口部から他端部の開口部に向けて毛髪束を挿通可能にシートにより構成された筒状体と、該筒状体の巻き上げ用の巻き上げ用糸とを備え、
前記巻き上げ用糸は、その一端が前記筒状体の前記他端部近傍に止着され、その他端側を引っ張ることにより該筒状体が巻き上がるようになされており、
前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっており、
前記糸処理機構は、前記筒状体から引き出されている前記巻き上げ用糸が、伸縮可能な筒状の糸外挿体に内挿されていることにより形成されている毛髪保持具。
【請求項４】
一端部の開口部から他端部の開口部に向けて毛髪束を挿通可能にシートにより構成された筒状体と、該筒状体の巻き上げ用の巻き上げ用糸とを備え、
前記巻き上げ用糸は、その一端が前記筒状体の前記他端部近傍に止着され、その他端側を引っ張ることにより該筒状体が巻き上がるようになされており、
前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっており、
前記糸処理機構は、前記筒状体から引き出されている前記巻き上げ用糸が、伸縮可能なシート体にその長手方向にぐし縫い状に挿通されていることにより形成されている毛髪保持具。
【請求項５】
一端部の開口部から他端部の開口部に向けて毛髪束を挿通可能にシートにより構成された筒状体と、該筒状体の巻き上げ用の巻き上げ用糸とを備え、
前記巻き上げ用糸は、その一端が前記筒状体の前記他端部近傍に止着され、その他端側を引っ張ることにより該筒状体が巻き上がるようになされており、
前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっており、
前記糸処理機構は、前記巻き上げ用糸の他端近傍が前記筒状体の前記一端部近傍に止着され、該巻き上げ用糸に沿って可動なタグが該巻き上げ用糸に設けられていることにより形成されている毛髪保持具。
【請求項６】
前記筒状体を構成するシートに、前記巻き上げ用糸を挿通案内する複数個の挿通孔部が設けられており、
前記巻き上げ用糸は、前記挿通孔部に順次挿通案内されている請求項１〜５の何れか１項に記載の毛髪保持具。
【請求項７】
前記糸処理機構は、前記筒状体に着脱自在な着脱部材が、前記巻き上げ用糸の他端近傍に設けられていることにより形成されている請求項１に記載の毛髪保持具。
【発明の詳細な説明】
【技術分野】
【０００１】
本発明は、パーマ等により毛髪にカールを付与する場合に、毛髪束を所定の形状に巻き上げるときの補助具として用いられる毛髪保持具に関する。
【背景技術】
【０００２】
下記特許文献１及び特許文献２には、本出願人による「一端部に毛髪取り込み口を有し該毛髪取り込み口から毛髪を挿入可能な筒状体と、該筒状体の巻き上げ用の巻き上げ用糸とを備え、前記筒状体の周面に前記巻き上げ用糸を挿通する小孔がスパイラル状に間欠的に設けられており、前記巻き上げ用糸は、その一端が該筒状体の他端部近傍に止着され、前記小孔に順次挿通されて前記筒状体の外周面にスパイラル状に巻き付けられている毛髪保持具」が記載されている。
この毛髪保持具によれば、毛髪が筒状体の内部に挿入された状態で巻き上げ用糸の他端を引っ張ることにより、毛髪を筒状体ごと巻き上げることができ、簡便な操作で毛髪の巻き上げを行うことができる。
【０００３】
【特許文献１】特開２００３−３３２１６号公報
【特許文献２】国際公開第０３／００７７５２号パンフレット
【発明の開示】
【発明が解決しようとする課題】
【０００４】
しかし、前記毛髪保持具においては、筒状体が巻き上げられた後において、巻き上げ用糸の他端側が筒状体から相当長さ引き出されている。筒状体から引き出されている巻き上げ用糸は、施術中に絡まったり、他の毛髪保持具における毛髪挿入操作の際に毛髪と混同して一緒に毛髪保持具に引き込まれる場合がある等、その後の施術操作の邪魔となり易い。
【０００５】
従って、本発明の目的は、巻き上げ用糸を引っ張ることにより筒状体が巻き上がるようになされた毛髪保持具において、筒状体が巻き上げられた後に、筒状体から引き出されている巻き上げ用糸がその後の施術操作の邪魔となり難い毛髪保持具を提供することにある。
【課題を解決するための手段】
【０００６】
本発明は、一端部の開口部から他端部の開口部に向けて毛髪束を挿通可能にシートにより構成された筒状体と、該筒状体の巻き上げ用の巻き上げ用糸とを備え、前記巻き上げ用糸は、その一端が前記筒状体の前記他端部近傍に止着され、その他端側を引っ張ることにより該筒状体が巻き上がるようになされており、前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっている毛髪保持具を提供することにより、上記目的を達成したものである。
【発明の効果】
【０００７】
本発明の毛髪保持具によれば、巻き上げ用糸を引っ張ることにより筒状体が巻き上がるようになされた毛髪保持具において、筒状体が巻き上げられた後に、筒状体から引き出されている巻き上げ用糸がその後の施術の邪魔となり難い。
【発明を実施するための最良の形態】
【０００８】
以下、本発明の毛髪保持具を、その好ましい一実施形態である第１実施形態に基づき図面を参照しながら説明する。
第１実施形態の毛髪保持具は、図１に示すように、一端部２１の開口部から他端部２２の開口部に向けて毛髪束を挿通可能にシート３，４により構成された筒状体２と、筒状体２の巻き上げ用の巻き上げ用糸７とを備え、巻き上げ用糸７は、その一端７１が筒状体２の他端部２２近傍に止着され、図２及び図３に示すように、その他端７２側を引っ張ることにより筒状体２が巻き上がるようになされている。また、筒状体２が巻き上げられた後において筒状体２から引き出されている巻き上げ用糸７の長さを処理する糸処理機構８を備えており、図４に示すように、糸処理機構８により、筒状体２から引き出されている巻き上げ用糸７の実質的な延出長さＬ１が、筒状体２から引き出されている巻き上げ用糸７の伸長長さＬ２よりも短くなるようになっている。
【０００９】
第１実施形態の毛髪保持具１について詳述する。第１実施形態の毛髪保持具１における筒状体２は、図１に示すように、一面を形成するシート（以下「一面シート」ともいう）３及び他面を形成するシート（以下「他面シート」ともいう）４からなる。両シート３，４は、帯状シートであり、その両側端部２３，２４同士が接着されて、一端部２１及び他端部２２にそれぞれ開口部を有する扁平の筒状体２を形成している。
筒状体２の大きさは、毛髪の長さやくせ付けしたい場所、挿入する毛髪束の量に応じて適宜選択される。
【００１０】
一面シート３，他面シート４を形成する材料としては、各種可撓性材料が用いられる。その可撓性材料としては、不織布、織物、編み物、多孔性若しくは非多孔性の樹脂フィルム、紙、樹脂ネット又はこれらの複合体等が挙げられ、具体的用途に応じて適切な材料が選択される。例えば、筒状体２内に挿入された状態の毛髪に対して筒状体２の外部から毛髪処理剤を施したいときには、該毛髪処理剤に対して透過性を有する材料を用いればよい。挿入されている毛髪のみに毛髪処理剤を施したいときには、該毛髪処理剤に対して非透過性を有する材料を用いればよい。本実施形態においては、筒状体２の外部から毛髪処理剤を施すこと及び着脱部材（タグ）８１（後述）の着脱性を考慮して、毛髪処理剤に対して透過性を有する不織布が用いられている。
【００１１】
シート同士の接合には、ヒートシール、インパルスシール、超音波シール、接着剤、粘着テープ、縫製等が用いられ、本実施形態においては、ヒートシールにより接合されている。
シートの厚みは、特に限定されないが、好ましくは５μｍ〜５００μｍである。シートのテーバーこわさ及び厚みは、シート全体で均一の方が好ましい。
【００１２】
一面シート３及び他面シート４における外表面の幅方向中央部には、それぞれ高剛性部５が形成されている。
高剛性部５は、一面シート３及び他面シート４の外表面に、一面シート３及び他面シート４とは別体で、両シート３，４と略同じ長さを有するリブが貼着されて形成されている。高剛性部５を形成する材料としては、各種可撓性材料が用いられる。その可撓性材料としては、樹脂フィルム、紙、金属板又はこれらの複合体等が挙げられる。
【００１３】
本実施形態の毛髪保持具１においては、図１に示すように、筒状体２を構成するシート３，４に、筒状体２の巻き上げ用の巻き上げ用糸７を挿通案内する複数個の挿通孔部６Ａ，６Ｂが設けられている。巻き上げ用糸７は、その一端７１が筒状体２の他端部２２近傍に止着され、挿通孔部６Ａ，６Ｂに順次挿通案内されて筒状体２の外周面にスパイラル状に巻き付けられている。
巻き上げ用糸７は、筒状体２内に挿入された状態の毛髪束Ｈ（図２参照）を、筒状体２ごと巻き上げる手段として用いられる。本発明において巻き上げとは、毛髪に所定のくせ付けをすること全般を意味し、本来の巻き上げ（スパイラル状の巻き上げ）に加えて例えば湾曲や屈曲も包含される。
【００１４】
巻き上げ用糸７は、これを引っ張って毛髪の巻き上げ操作を行うときに、引きちぎれない程度の強度及び巻き上げ操作を円滑に行い得る柔軟性を有していることが好ましい。この点から、巻き上げ用糸７は各種樹脂等の合成物、木綿や麻等の天然物、レーヨン等の半天然物、各種金属、又はこれらの複合体等から構成されていることが好ましい。また、巻き上げ用糸７は、糸状のものに限られず、例えば細長い帯状のものでもよい。
【００１５】
巻き上げ用糸７は、図１に示すように、一面シート３及び他面シート４における左右両側部に互い違いに形成された挿通孔部６Ａ，６Ｂに、ジグザグの軌跡を描くように挿通されることで、筒状体２に取り付けられている。
詳細には、筒状体２は、その左右両側部に第１の挿通孔部６Ａからなる第１の挿通孔部列と、第２の挿通孔部６Ｂからなる第２の挿通孔部列とを有している。第１の挿通孔部列における隣接する挿通孔部６Ａ，６Ａの間隔は一定になっている。第２の挿通孔部列においても同様であり、その間隔は第１の挿通孔部列と同じになっている。そして、各挿通孔部列における挿通孔部６Ａ，６Ｂは、互いに半ピッチずれるように互い違いに配置されている。
【００１６】
巻き上げ用糸７は、図１に示すように、他面シート４から一面シート３に向けて最も下部に位置する第１の挿通孔部６Ａに挿通され、その位置から斜め左上方に位置する第２の挿通孔部６Ｂに向けて、一面シート３の表面に沿って配されている。そして、第２の挿通孔部６Ｂにおいて、一面シート３から他面シート４に向けて挿通されている。第２の挿通孔部６Ｂに挿通された巻き上げ用糸７は、その位置から斜め右上方に位置する第１の挿通孔部６Ａに向けて、他面シート４の表面に沿って配されている。以後この挿通が繰り返される。その結果、巻き上げ用糸７はジグザグの軌跡を描くことになる。
【００１７】
巻き上げ用糸７の一端７１には、結び目が形成されており、前記最も下部に位置する挿通孔部６Ａに引っ掛かり、引き抜かれないようになされている。筒状体２における最も上部に位置する挿通孔部６Ａ（以下「最上部挿通孔部６Ｃ」ともいう）においては、巻き上げ用糸７は自由状態になっている。これによって、巻き上げ用糸７の他端７２を引っ張ると、筒状体２は、スパイラル状に変形することになる。
【００１８】
巻き上げ用糸７の他端７２には、本発明の特徴部分である糸処理機構８を構成する着脱部材８１が設けられている。糸処理機構８は、筒状体２が巻き上げられた後において筒状体２から引き出されている巻き上げ用糸７の長さを処理するもので、筒状体２から引き出されている巻き上げ用糸７の実質的な延出長さが、筒状体２から引き出されている巻き上げ用糸７の伸長長さよりも短くなるようにすることができるものである（後述の使用方法の説明において詳述する）。
本実施形態においては、糸処理機構８は、筒状体２に着脱自在な着脱部材８１が、巻き上げ用糸７の他端７２近傍に設けられていることにより形成されている。着脱部材８１は、タグ基材８１Ａの表面に、マジックテープ（登録商標）等のメカニカルファスナー８１Ｂが貼着されて構成されている。
【００１９】
巻き上げ用糸７における着脱部材８１と筒状体２の最上部挿通孔部６Ｃとの間には、糸留め８２が取り付けられている。糸留め８２は、巻き上げ用糸７に沿って移動自在になっていると共に、所定位置で固定できるようになっている。そのため、筒状体２を巻き上げた後において、糸留め８２を最上部挿通孔部６Ｃ近傍に移動し、その位置で固定することにより、筒状体２の巻き上げ状態を容易に維持できるようになっている。
【００２０】
このように構成された第１実施形態の毛髪保持具１の一使用方法について、パーマネント処理を例にとり図２及び図３を参照しながら説明する。ここでは、筒状体２内への毛髪束Ｈの挿入に、ループ状のフック部１１及び線状の把持部１２を備えた毛髪挿入具１０を用いる。
先ず図２（ａ）に示すように、筒状体２内に毛髪挿入具１０を挿入し、毛髪挿入具１０のフック部１１を筒状体２の一端部２１の開口部から突出させる。そして、筒状体２の他端部２２の開口部から、毛髪挿入具１０の把持部１２の端部を引き出す。この状態下に、毛髪挿入具１０のフック部１１に所望量の毛髪束Ｈを通して引っ掛ける。
【００２１】
次に、筒状体２の一端部２１の開口部付近の位置を一方の手（図示せず）で軽く押さえる。また筒状体２の他端部２２の開口部から引き出されている毛髪挿入具１０の把持部１２の端部を他方の手（図示せず）で把持し、図２（ｂ）に示すように、毛髪挿入具１０を筒状体２の外に引き出す。その操作によって、フック部１１に引っ掛けられていた毛髪束Ｈが首尾良く筒状体２内に挿入、収納される。
【００２２】
次に、筒状体２の一端部２１の開口部付近の位置を一方の手（図示せず）で軽く押さえる。この状態下に、図２（ｃ）に示すように、筒状体２の外周面に巻き付けられている巻き上げ用糸７の他端７２（自由端）近傍に設けられた着脱部材８１又は糸留め８２を引っ張る。すると図３（ａ）に示すように、毛髪束Ｈは筒状体２と共にスパイラル状に巻き上げられて、小さく纏められる。
この状態を保持するために、図３（ｂ）に示すように、糸留め８２を、筒状体２の最上部挿通孔部６Ｃ近傍に移動し、巻き上げ用糸７に係止して、筒状体２の巻き上げ状態を維持する。
【００２３】
更に、図３（ｃ）に示すように、着脱部材８１を、筒状体２の適当な箇所、好ましくは筒状体２の一端部２１近傍に止着し、巻き上げ用糸７のループを形成する。その結果、筒状体２から引き出されている巻き上げ用糸７の実質的な延出長さＬ１〔図４（ａ）参照〕は、筒状体２から引き出されている巻き上げ用糸７の伸長長さＬ２〔図４（ｂ）〕よりも短くなり、本実施形態においては略半分となる。
【００２４】
尚、本発明において、「筒状体から引き出されている巻き上げ用糸の実質的な延出長さ」とは、糸処理機構により巻き上げ用糸の長さが処理された状態における、筒状体から巻き上げ用糸の最遠端までの長さをいう。例えば、第１実施形態においては、図４（ａ）に示すように、筒状体２から巻き上げ用糸７のループの頂部までの長さＬ１であり、第２実施形態（後述）においては、図６（ａ）に示すように、筒状体２からスパイラル状の巻き上げ用糸７の他端７２までの長さＬ１である。
【００２５】
また、本発明において、「筒状体から引き出されている巻き上げ用糸の伸長長さ」とは、糸処理機構により巻き上げ用糸の長さが処理されていない状態で、巻き上げ用糸を伸長させた状態における、筒状体から巻き上げ用糸の最遠端までの長さをいう。例えば、第１実施形態においては、図４（ｂ）に示すように、筒状体２から伸長状態の巻き上げ用糸７の他端７２までの長さＬ２であり、第２実施形態（後述）においては、図６（ｂ）に示すように、仮想的に糸外挿体８３を除き、巻き上げ用糸７を伸長させた状態における、筒状体２から巻き上げ用糸７の他端７２までの長さＬ２である。
【００２６】
筒状体２が巻き上げられた状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪束Ｈに施される。
所定時間放置後、筒状体２に向けて第２のパーマネント処理剤（酸化剤）を付与し、再び所定時間放置する。これによって、筒状体２内に挿入されている毛髪束Ｈに対して、その巻き上げ形態のパーマネントウエーブが掛けられる。その後、糸留め８２を巻き上げ用
糸７の他端７２側に移動し、毛髪束Ｈの巻き上げ状態を解除する。引き続き毛髪束Ｈを筒状体２から取り出し、すすぎ洗いをし、更にシャンプー及びブローをする。
【００２７】
以上の説明の通り、本実施形態の毛髪保持具１によれば、巻き上げ用糸７の他端７２側を引っ張り、筒状体２が巻き上げられた後において、巻き上げ用糸７の他端７２側に設けられた着脱部材８１を筒状体２に止着すると、筒状体２から引き出されている巻き上げ用糸７をループ状にすることができる。その結果、図４に示すように、筒状体２から引き出されている巻き上げ用糸７の実質的な延出長さＬ１が、筒状体２から引き出されている巻き上げ用糸７の伸長長さＬ２よりも短くなる。
そのため、本実施形態の毛髪保持具１によれば、筒状体２が巻き上げられた後において、筒状体２から引き出されている巻き上げ用糸７が、施術中に絡まったり、他の毛髪保持具における毛髪挿入操作の際に毛髪と混同して一緒に毛髪保持具に引き込まれ難く、その後の施術操作の邪魔になり難い。
【００２８】
次に、本発明の毛髪保持具の別の実施形態である第２実施形態〜第７実施形態について説明する。第２実施形態〜第７実施形態については、第１実施形態とは異なる点を中心に説明し、特に説明しない点については第１実施形態についての説明が適宜適用される。第２実施形態〜第７実施形態においても、第１実施形態と同様に使用され、第１実施形態と同様の効果が奏される。
【００２９】
第２実施形態の毛髪保持具１は、図５（ａ）に示すように、図１に示す第１実施形態の毛髪保持具１に比して、糸処理機構の構成、巻き上げ用糸の挿通形態、リブの有無が異なり、その他の点については略同じである。
具体的には、第２実施形態の毛髪保持具１においては、糸処理機構８は、筒状体２から引き出されている巻き上げ用糸７が、伸縮可能な筒状の糸外挿体８３に内挿されていることにより形成されている。
筒状体２の一面シート３及び他面シート４における長手方向中央部には、複数個の挿通孔部６が直線状に所定間隔離間して設けられている。
糸外挿体８３は、その一端部８３Ａが、筒状体２の一面シート３における最上部挿通孔部６Ｃと一端部２１との間で開口状態で接合されており、その他端部８３Ｂが、自由端となっている。
【００３０】
また、巻き上げ用糸７が、筒状体２の一面シート３側及び他面シート４側に順次配置するように、該筒状体２の長手方向中央部に直線状に挿通掛合されている。巻き上げ用糸７の一端７１には、結び目が形成されており、最も下部に位置する挿通孔部６に引っ掛かり、引き抜かれないようになされている。最上部挿通孔部６Ｃにおいては、巻き上げ用糸７は自由状態になっている。これによって、巻き上げ用糸７の他端７２を引っ張ると、筒状体２は、蛇腹状に変形することになる（後述の使用方法の説明において詳述する）。
【００３１】
巻き上げ用糸７の他端７２側は、最上部挿通孔部６Ｃから筒状体２の一面シート３側に露出し、糸外挿体８３の一端部８３Ａの開口部から糸外挿体８３の内部に導入されている。巻き上げ用糸７の他端７２と糸外挿体８３の他端部８３Ｂ近傍とは摘み部（タグ）８４により固定されている。
ここで、筒状体２が巻き上げられていない状態においては、糸外挿体８３は、最も収縮し、その内部を挿通している巻き上げ用糸７と共に、ジグザグ状となっている。
【００３２】
このように構成された第２実施形態の毛髪保持具１は、次のようにして、毛髪束Ｈが挿通された筒状体２を巻き上げることができる。
先ず毛髪挿入具（図示せず）を用いて、筒状体２の一端部２１の開口部から他端部２２の開口部に向けて毛髪束（図示せず）を挿入する。筒状体２の一端部２１の開口部付近の位置を一方の手（図示せず）で軽く押さえる。この状態下に、他方の手（図示せず）で巻き上げ用糸７の他端７２に設けられている摘み部８４を筒状体２の一端部２１から離間する方向に引っ張ることにより、図５（ｂ）に示すように、筒状体２が蛇腹状に巻き上げられ、筒状体２の内部に配置されている毛髪束が略ジグザグ状に屈曲すると共に、糸外挿体８３が伸長し、糸外挿体８３の内部の巻き上げ用糸７も伸長し、筒状体２側から更に導入される。
【００３３】
その後、摘み部８４に付与している引っ張り力を解除すると、図６（ａ）に示すように、糸外挿体８３は、その収縮力により収縮すると共に、糸外挿体８３に内挿されている巻き上げ用糸７は、糸外挿体８３の収縮力により、糸外挿体８３の内周面に沿ってスパイラル状となる。
このように、第２実施形態の毛髪保持具１においては、筒状体２から引き出されている巻き上げ用糸７の実質的な延出長さ、即ちスパイラル状の巻き上げ用糸７の筒状体２からの延出長さＬ１〔図６（ａ）参照〕は、筒状体２から引き出されている巻き上げ用糸７の伸長長さＬ２、即ち仮想的に糸外挿体８３を除き、巻き上げ用糸７を伸長させた状態における、筒状体２から巻き上げ用糸７の他端７２までの長さＬ２よりも短くなる。ここで、延出長さＬ１と伸長長さＬ２との比率は、糸外挿体８３の収縮力等により異なる。
【００３４】
このように構成された第２実施形態の毛髪保持具１によれば、第１実施形態の毛髪保持具と同様の効果が奏される。更に、第１実施形態の毛髪保持具のように筒状体を巻き上げた後に、巻き上げ用糸をループ状に形成する必要がないため、取り扱いが容易である。しかも、巻き上げ用糸７が糸外挿体８３に被覆され、露出していないため、巻き上げ用糸７が絡んだり、他の毛髪保持具に引き込まれ難くなっている。
【００３５】
第３実施形態の毛髪保持具１は、図７に示すように、図５に示す第２実施形態の毛髪保持具に比して、糸処理機構の構成が異なり、その他の点については略同じである。
具体的には、第３実施形態の毛髪保持具１においては、図７に示すように、糸処理機構８は、筒状体２から引き出されている巻き上げ用糸７が、伸縮可能なシート体８５にその長手方向にぐし縫い状に挿通されていることにより形成されている。
【００３６】
シート体８５は、長手方向に伸縮性を有しており、自然長（図７に示す長さ）から伸長させると、伸縮力が生じるようになっている。シート体８５は、その一端部８５Ａが、筒状体２の一面シート３における最上部挿通孔部６Ｃと一端部２１との間で接合されており、その他端部８５Ｂが、自由端となっている。
シート体８５には、その長手方向に所定間隔離間して複数個の小孔８５Ｃが形成されている。シート体８５における最も一端部８５Ａに近接する小孔８５Ｃ（８５Ｄ）と、筒状体２における最上部挿通孔部６Ｃとは一致している。
【００３７】
巻き上げ用糸７の他端７２側は、最上部挿通孔部６Ｃから筒状体２の一面シート３側に露出し、シート体８５Ａにおける前記小孔８５Ｄから順次小孔８５Ｃにぐし縫い状に挿通されている。そして、シート体８５Ａにおける最も他端部８５Ｂに近接する小孔８５Ｃ（８５Ｅ）から上方に延出しており、該小孔８５Ｅの表裏面両側には、抜け留めとなる結び目が形成されている。
【００３８】
このように構成された第３実施形態の毛髪保持具１は、次のようにして、毛髪束が挿通された筒状体２を巻き上げることができる。
毛髪挿入具（図示せず）を用いて、筒状体２の一端部２１の開口部から他端部２２の開口部に向けて毛髪束（図示せず）を挿入する。筒状体２の一端部２１の開口部付近の位置を一方の手（図示せず）で軽く押さえる。この状態下に、他方の手（図示せず）で巻き上げ用糸７の他端７２を筒状体２の一端部２１から離間する方向に引っ張ることにより、図８（ａ）に示すように、筒状体２が蛇腹状に巻き上げられ、その結果、筒状体２の内部に配置されている毛髪束が略ジグザグ状に屈曲する。
【００３９】
その後、巻き上げ用糸７の他端７２に付与している引っ張り力を解除すると、図８（ｂ）に示すように、シート体８５はその収縮力により自然長に復元し、小孔８５Ｃにぐし縫い状に挿通している巻き上げ用糸７が、筒状体２を巻き上げる前における波状〔図７（ｂ）参照〕よりも大きな波状になる。その結果、第２実施形態の毛髪保持具と同様に、筒状体２から引き出されている巻き上げ用糸７の延出長さＬ１〔図８（ｂ）〕が、筒状体２から引き出されている巻き上げ用糸７の伸長長さ〔図示せず。図６（ｂ）と同様）よりも短くなる。
【００４０】
このように構成された第３実施形態の毛髪保持具１によれば、第１実施形態の毛髪保持具と同様の効果が奏される。更に、第１実施形態の毛髪保持具のように筒状体を巻き上げた後に、巻き上げ用糸をループ状に形成する必要がないため、取り扱いが容易である。しかも、巻き上げ用糸７がシート体８５にぐし縫いされているため、巻き上げ用糸７の延出部分の剛性が高く、巻き上げ用糸７が絡んだり、他の毛髪保持具に引き込まれ難くなっている。
【００４１】
第４実施形態の毛髪保持具１は、図９に示すように、第１実施形態の毛髪保持具１に比して、糸処理機構の構成が異なり、その他の点については略同じである。
具体的には、第４実施形態の毛髪保持具においては、図９に示すように、糸処理機構８は、巻き上げ用糸７の他端７２近傍が筒状体２の一端部２１近傍に接合され、巻き上げ用糸７に沿って可動なタグ８６が巻き上げ用糸７に設けられていることにより形成されている。
【００４２】
第４実施形態の毛髪保持具１においては、筒状体２の一面シート３における最上部挿通孔部６Ｃから延出する巻き上げ用糸７の他端７２が、筒状体２における最上部挿通孔部６Ｃ近傍の孔部に結び留めされて接合され、巻き上げ用糸７のループが形成されている。巻き上げ用糸７のループ部分にはタグ８６が設けられている。
タグ８６は、シート片を二つ折りし、その先端部近傍同士を当接させて、例えば半陸上トラック形状の接合部〔図９（ａ）における破線ハッチング部分〕で接合して形成されている。該接合部の形状は円形等でもよい。そのため、タグ８６は、巻き上げ用糸７に沿って可動となっている。巻き上げ用糸７におけるタグ８６と筒状体２における最上部挿通孔部６Ｃとの間には、第１実施形態の毛髪保持具１と同様の糸留め８２が設けられている。
【００４３】
このように構成された第４実施形態の毛髪保持具は、次のようにして、毛髪束が挿通された筒状体２を巻き上げることができる。
毛髪挿入具（図示せず）を用いて、筒状体２の一端部２１の開口部から他端部２２の開口部に向けて毛髪束（図示せず）を挿入する。筒状体２の一端部２１の開口部付近の位置を一方の手（図示せず）で軽く押さえる。この状態下に、他方の手（図示せず）でタグ８６を摘み、筒状体２の一端部２１から離間する方向に引っ張る。すると、巻き上げ用糸７のループが大きくなるように巻き上げ用糸７が最上部挿通孔部６Ｃから導出され、図８（ｂ）に示すように、第１実施形態の毛髪保持具と同様に、筒状体２はスパイラル状に巻き上げられて、小さく纏められる。その後、第１実施形態の毛髪保持具と同様に、糸留め８２を筒状体２における最上部挿通孔部６Ｃ近傍に移動して、筒状体２の巻き上げ形状を維持することができる。
【００４４】
第４実施形態の毛髪保持具１によれば、第１実施形態の毛髪保持具と同様の効果が奏される。更に、筒状体２から引き出されている巻き上げ用糸７が常にループ状に形成されているため、巻き上げ用糸７の取り扱いが一層容易となっている。
【００４５】
第５実施形態の毛髪保持具１は、図１０に示すように、筒状体２から引き出されている巻き上げ用糸７に、それに沿って可動なタグ８６が設けられている。このタグ８６は、第４実施形態におけるタグ８６と同様の構成で、巻き上げ用糸７に沿って可動となっている。タグ８６は、タグ基材８６Ａの表面にメカニカルファスナー８６Ｂが貼着されて構成されており、筒状体２に着脱自在な着脱部材としても機能する。
【００４６】
このメカニカルファスナー８６Ｂは、図１１に示すように、ファスナー基材８６Ｃの表面に、フック状の雄材８６Ｄ及びループ状の雌材８６Ｅがそれぞれ多数設けられて構成されている。雄材８６Ｄの形状は、別の雄材８６Ｄ又は雌材８６Ｅに掛止可能であれば、その形状に制限はない。このようなメカニカルファスナー８６Ｂとしては、例えば、株式会社クラレ製「フリーマジック」が挙げられる。
【００４７】
メカニカルファスナー８６Ｂにおいて、雄材８６Ｄ及び雌材８６Ｅの合計個数に対する雄材８６Ｄの個数の比率は、好ましくは４０％〜６０％である。このように比率が設定されていると、フック状の雄材８６Ｄのみからなるメカニカルファスナーに比して、メカニカルファスナー８６Ｂの着脱面に毛髪や筒状体２が接触したとしても、それらはループ状の雌材８６Ｅには付着しないため、メカニカルファスナー８６Ｂの誤着防止効果がある。
【００４８】
雌材８６Ｅの高さは、雄材８６Ｄの高さよりも高く、具体的には、０．２ｍｍ以上高い方が好ましい。このように高さが設定されていると、メカニカルファスナー８６Ｂの着脱面に毛髪や筒状体２が接触したとしても、それらは先ずループ状の雌材８６Ｅに接触し、フック状の雄材８６Ｄには接触し難いため、メカニカルファスナー８６Ｂの誤着防止効果が向上する。
【００４９】
尚、このような、フック状の雄材８６Ｄ及びループ状の雌材８６Ｅが混在するメカニカルファスナー８６Ｂは、フック状の雄材８６Ｄ及びループ状の雌材８６Ｅが混在するメカニカルファスナー、ループ状の雌材８６Ｅのみからなるメカニカルファスナー、不織布等には十分な止着力をもって止着できるが、フック状の雄材８６Ｄのみからなるメカニカルファスナーにはあまり強い止着力は生じない。
【００５０】
巻き上げ用糸７の他端７２近傍には、図１０に示すように、糸調整具８７が固定されて設けられている。糸調整具８７と巻き上げ用糸７の他端７２近傍との固定には、糸調整具８７と巻き上げ用糸７の他端７２近傍とが完全に固定されている形態のみならず、糸調整具８７を巻き上げ用糸７の他端７２に向けて引っ張ったときに、糸調整具８７が巻き上げ用糸７の他端７２近傍に掛止されて巻き上げ用糸７も引っ張られるような形態も含まれる。
【００５１】
糸調整具８７は、タグ８６と筒状体２との間の巻き上げ用糸７を外挿しており、タグ８６と筒状体２との間の巻き上げ用糸７の所定位置に固定されるようになっている。本実施形態における糸調整具８７は、熱可塑性樹脂のブロックに、巻き上げ用糸７が挿通し得る２本の孔が平行に形成されて構成されている。
【００５２】
筒状体２の一端部２１近傍におけるタグ８６側の側端部２４の一面シート３側及び他面シート４側それぞれには、タグ８６のメカニカルファスナー８６Ｂと止着自在な止着部８９が設けられている。この止着部８９は、タグ８６のメカニカルファスナー８６Ｂと同じメカニカルファスナーから構成されている。
【００５３】
このように構成された第５実施形態の毛髪保持具１は、次のようにして、毛髪束が挿通された筒状体２を巻き上げた後に、筒状体２から引き出されている巻き上げ用糸７の長さを処理することができる。
まず、図２に示す第１実施形態における巻回手順と同様の手順で、タグ８６を摘んで巻き上げ用糸７を引っ張り、毛髪束が挿通された筒状体２を巻き上げる。ここで、巻き上げ用糸７における筒状体２の一端部２１近傍に糸留め８２が設けられているため、筒状体２から引き出された巻き上げ用糸７は、筒状体２側に戻る（逆流する）ことはなく、引き出された状態が維持される。
【００５４】
図１３（ａ）には、巻き上げ用糸７が他端７２側に引っ張られ、筒状体２が巻き上げられた状態が示されている。糸調整具８７は、タグ８６に近接した位置に配置されている。尚、図１３においては、筒状体２に挿通された毛髪束の図示を省略している。また、この状態における巻き上げ用糸７の伸長長さをＬ１とする。
【００５５】
次に、一方の手（図示せず）で糸調整具８７を摘み、他方の手（図示せず）でタグ８６を摘み、その状態で、図１３（ｂ）に示すように、糸調整具８７を筒状体２の一端部２１近傍まで引っ張る。すると、巻き上げ用糸７は、その他端７２側に引っ張られ、筒状体２から引き出されている巻き上げ用糸７の大部分は、糸調整具８７とタグ８６との間で平行した状態となる。その結果、巻き上げ用糸７の伸長長さは、図１３（ａ）に示す状態における伸長長さＬ１の約半分となる。
【００５６】
更に、図１３（ｃ）に示すように、タグ８６を筒状体２の一端部２１近傍に設けられた止着部８９に止着する。その結果、巻き上げ用糸７の実質的な延出長さＬ２は、図１３（ｂ）に示す状態における伸長長さの約半分となる。つまり、図１３（ａ）に示す長さ処理前における巻き上げ用糸７の伸長長さＬ１に対し、図１３（ｃ）に示す長さ処理後における巻き上げ用糸７の実質的な延出長さＬ２は、約１／４となる。
【００５７】
第５実施形態の毛髪保持具１によれば、第１実施形態の毛髪保持具と同様の効果が奏される。更に、巻き上げ用糸７に、それに沿って可動なタグ８６と、タグ８６と筒状体２との間の巻き上げ用糸７を外挿し且つ巻き上げ用糸７の他端７２近傍に固定された糸調整具８７とが設けられているため、巻き上げ用糸７の実質的な延出長さＬ２を、簡便な操作で、巻き上げ用糸７の伸長長さＬ１に対し約１／４とすることができる。
【００５８】
図１４には、第５実施形態の変形例が示されている。図１４に示す変形例における糸調整具８７は、シート片で、巻き上げ用糸７における、他端７２とタグ８６との間及びタグ８６と筒状体２との間の部分を挟持することにより形成されている。この糸調整具８７においても、図１０に示す糸調整具８７と同様に、巻き上げ用糸７と糸調整具８７との間の摩擦抵抗により、タグ８６と筒状体２との間の巻き上げ用糸７の所定位置に固定されるようになっている。
【００５９】
また、糸留め８２は、図１５に示すように、最上部挿通孔部６Ｃとタグ８６との間の巻き上げ用糸７に配設することもできる。
【００６０】
第６実施形態の毛髪保持具１は、図１６に示すように、着脱部材８１が、一対の自己融着性材料９０，９１から構成されている。一方の自己融着性材料９０は、巻き上げ用糸７の他端７２近傍に、巻き上げ用糸７が挿通されて設けられている。他方の自己融着性材料９１は、筒状体２の一端部２１近傍に接合されて設けられている。その他の構成は、第５実施形態の毛髪保持具１と同様である。
【００６１】
「自己融着性材料」とは、同じ材料同士とは止着するが、異なる材料とはほとんど止着しない材料をいう。自己融着性材料としては、例えば、止着面に細かい凹凸が多数形成され、止着面同士を押圧すると対向する凹凸同士が嵌合して止着面間に真空力が発生するようになっているテープ（仁礼工業株式会社製「ふしぎテープ」等）、粘着性の基材の表面に薄い皮膜が設けられ、皮膜同士を当接させて加圧すると皮膜が破壊されて基材同士が粘着するようになっているテープ（日東電工株式会社製「ブチルゴムテープ」等）が挙げられる。
【００６２】
尚、巻き上げ用糸７の他端７２近傍に設けられた自己融着性材料９０は、第５実施形態におけるメカニカルファスナー８６Ｂと同様に、基材に貼着される形態で構成することもできる。
【００６３】
第６実施形態の毛髪保持具１によれば、第１実施形態の毛髪保持具と同様の効果が奏される。更に、着脱部材８１が自己融着性材料９０，９１から構成されているため、毛髪処理時に毛髪や筒状体２が着脱部材８１に接触しても毛髪や筒状体２が着脱部材８１に全く付着することがなく、取り扱いが容易である。
【００６４】
第７実施形態の毛髪保持具１は、図１７に示すように、着脱部材８１と筒状体２との間の巻き上げ用糸７に、巻き上げ用糸７を外挿する摩擦部材８８を備えている。
巻き上げ用糸７の他端７２には、着脱部材８１が設けられている。この着脱部材８１は、第１実施形態における着脱部材８１と同じ構成である。
【００６５】
巻き上げ用糸７は、複数本の繊維を撚り合わせて構成された撚り糸からなり、摩擦部材８８から引き出されると、巻き上げ用糸７と摩擦部材８８との間の摩擦抵抗により撚られるようになっている。この巻き上げ用糸７が撚られる原理については、後述の第７実施形態の毛髪保持具の一使用方法の説明において併せて説明する。その他の構成は、第５実施形態の毛髪保持具１と同様の構成を有している。
【００６６】
このように構成された第７実施形態の毛髪保持具１は、次のようにして、毛髪束が挿通された筒状体２を巻き上げた後に、筒状体２から引き出されている巻き上げ用糸７の長さを処理することができる。
まず、図２に示す第１実施形態における巻回手順と同様の手順で、一方の手（図示せず）で筒状体２の一端部２１近傍を摩擦部材８８と共に摘み、他方の手（図示せず）で着脱部材８１を摘んで巻き上げ用糸７を引っ張り、図１８（ａ）に示すように、毛髪束（図示せず）が挿通された筒状体２を巻き上げる。ここで、摩擦部材８８及び着脱部材８１を離したり、自由状態にしないようにする。
【００６７】
巻き上げ用糸７は、撚り糸からなるため、摩擦部材８８から引き出されるときに、巻き上げ用糸７と摩擦部材８８との間の摩擦抵抗により捻り方向の力が加わる。その結果、着脱部材８１と摩擦部材８８とをそれぞれ手で摘んだまま接近させると、図１８（ｂ）及び（ｃ）に示すように、着脱部材８１と摩擦部材８８との間の巻き上げ用糸７全体が、撚り合わされる。そのため、巻き上げ用糸７の実質的な延出長さが、巻き上げ用糸７の伸長長さよりも短くなる。この短くなる程度は、巻き上げ用糸７に加わる捻り方向の力の大きさや、巻き上げ用糸７の捻り抵抗等によって決まる。
巻き上げ用糸７が撚り合わされた後、図１８（ｄ）に示すように、着脱部材８１を筒状体２の一端部２１近傍に設けられた止着部８９に止着する。
【００６８】
このように構成された第７実施形態の毛髪保持具１によれば、第１実施形態の毛髪保持具と同様の効果が奏される。更に、巻き上げ用糸７を筒状体２から引き出した後、着脱部材８１と摩擦部材８８とを手で摘んだまま接近させると、巻き上げ用糸７は、撚り合わされて、筒状体２からの実質的な延出長さが短くなるため、その操作が簡便である。
【００６９】
以上、本発明の毛髪保持具の好ましい実施形態について説明したが、本発明の毛髪保持具は、前述した実施形態に制限されることなく、本発明の趣旨を逸脱しない限り、適宜変更が可能である。
糸処理機構は、筒状体が巻き上げられた後において筒状体から引き出されている巻き上げ用糸の長さを処理できるものであれば、前述の実施形態における糸処理機構の構成に制限されない。
巻き上げ用糸の挿通形態は、筒状体を巻き上げることができれば、前述の実施形態における挿通形態に制限されない。
筒状体は、扁平状のものに制限されず、例えば、略円筒状、略楕円筒状のものでもよい。
【００７０】
糸処理機構を形成する着脱部材は、メカニカルファスナーに制限されず、筒状体に着脱自在なものであれば、粘着剤、メカニカルフック等を用いることができる。
筒状体を形成する一面シート及び他面シートは、１枚のシートから形成することができる。その場合、該１枚のシートをその幅方向中央部で長手方向に折り返して筒状体を形成すればよい。
本発明の毛髪保持具においては、第１実施形態〜第７実施形態の構成を適宜組み合わせた形態とすることができる。
【図面の簡単な説明】
【００７１】
【図１】図１は、本発明の毛髪保持具の第１実施形態を示す正面斜視図である。
【図２】図２は、第１実施形態の毛髪保持具の一使用態様を示す図で、（ａ）、（ｂ）及び（ｃ）は、それぞれ毛髪束の巻回手順を順次示す斜視図である。
【図３】図３（ａ）、（ｂ）及び（ｃ）は、図２に示す毛髪束の巻回手順の続きを順次示す斜視図である。
【図４】図４（ａ）及び（ｂ）は、それぞれ、第１実施形態の毛髪保持具における、巻き上げ用糸の実質的な延出長さ及び巻き上げ用糸の伸長長さを示す模式図である。
【図５】図５は、本発明の毛髪保持具の第２実施形態を示す図で、（ａ）は筒状体が伸長した状態を示す正面斜視図、（ｂ）は巻き上げ用糸を引っ張って筒状体が巻き上げられた状態を示す正面図である。
【図６】図６（ａ）及び（ｂ）は、それぞれ、第２実施形態の毛髪保持具における、巻き上げ用糸の実質的な延出長さ及び巻き上げ用糸の伸長長さを示す正面図である。
【図７】図７は、本発明の毛髪保持具の第３実施形態において、筒状体が伸長した状態を示す図で、（ａ）は正面斜視図、（ｂ）は側面図である。
【図８】図８は、本発明の毛髪保持具の第３実施形態を示す図で、（ａ）は巻き上げ用糸を引っ張って筒状体が伸長した状態を示す側面図、（ｂ）は第３実施形態の毛髪保持具における、巻き上げ用糸の実質的な延出長さを示す側面図である。
【図９】図９は、本発明の毛髪保持具の第４実施形態を示す図で、（ａ）は筒状体が伸長した状態を示す正面斜視図、（ｂ）は筒状体が巻き上げられた状態を示す斜視図である。
【図１０】図１０は、本発明の毛髪保持具の第５実施形態を示す図で、（ａ）は正面斜視図、（ｂ）は背面斜視図である。
【図１１】図１１は、第５実施形態の毛髪保持具におけるメカニカルファスナーを示す拡大斜視図である。
【図１２】図１２は、第５実施形態の毛髪保持具における摩擦部材の配設位置を示す斜視図である。
【図１３】図１３は、第５実施形態の毛髪保持具の一使用態様を示す図で、（ａ）、（ｂ）及び（ｃ）は、それぞれ巻き上げ用糸の処理手順を順次示す斜視図である。
【図１４】図１４は、第５実施形態の毛髪保持具の変形例を示す図で、（ａ）は正面斜視図、（ｂ）は背面斜視図である。
【図１５】図１５は、摩擦部材の配設位置の変形例を示す斜視図（図１２対応図）である。
【図１６】図１６は、本発明の毛髪保持具の第６実施形態を示す正面斜視図である。
【図１７】図１７は、本発明の毛髪保持具の第７実施形態を示す正面斜視図である。
【図１８】図１８は、第７実施形態の毛髪保持具の一使用態様を示す図で、（ａ）、（ｂ）及び（ｄ）はそれぞれ巻き上げ用糸の処理手順を順次示す斜視図、（ｃ）は（ｂ）における巻き上げ用糸の部分拡大図である。
【符号の説明】
【００７２】
１  毛髪保持具
２  筒状体
２１  一端部
２２  他端部
３  一面シート
４  他面シート
５  高剛性部
６Ａ、６Ｂ  挿通孔部
６Ｃ  最上部挿通孔部
７  巻き上げ用糸
７１  一端
７２  他端
８  糸処理機構
Ｈ  毛髪束
【図１】
0004614816.tif 000002
【図２】
0004614816.tif 000003
【図３】
0004614816.tif 000004
【図４】
0004614816.tif 000005
【図５】
0004614816.tif 000006
【図６】
0004614816.tif 000007
【図７】
0004614816.tif 000008
【図８】
0004614816.tif 000009
【図９】
0004614816.tif 000010
【図１０】
0004614816.tif 000011
【図１１】
0004614816.tif 000012
【図１２】
0004614816.tif 000013
【図１３】
0004614816.tif 000014
【図１４】
0004614816.tif 000015
【図１５】
0004614816.tif 000016
【図１６】
0004614816.tif 000017
【図１７】
0004614816.tif 000018
【図１８】
0004614816.tif 000019